(57)【要約】【課題】店舗内の広告視聴効果を維持しつつ省電力運転を実現できないという問題点を解消し、店舗内の来客状況に応じた省電力運転を可能とする情報提供装置及び方法を提供することを目的とする。【解決手段】本発明の情報提供装置は、第１の範囲内で人体を検出する第１の人体検出手段と、第１の範囲内で、第１の範囲よりも狭い第２の範囲内で人体を検出する第２の人体検出手段と、第１の人体検出手段及び第２の人体検出手段からの人体検出状況に応じて、広告データ及び上記広告データの再生方法を選択制御する再生制御手段と、再生制御手段の制御に従って広告情報を出力する出力手段とを備えることを特徴とする。【選択図】      図１
2010191155.tif 000002
【特許請求の範囲】
【請求項１】
第１の範囲内で人体を検出する第１の人体検出手段と、
上記第１の範囲内で、上記第１の範囲よりも狭い第２の範囲内で人体を検出する第２の人体検出手段と、
上記第１の人体検出手段及び上記第２の人体検出手段からの人体検出状況に応じて、広告データ及び上記広告データの再生方法を選択制御する再生制御手段と、
上記再生制御手段の制御に従って広告情報を出力する出力手段と
を備えることを特徴とする情報提供装置。
【請求項２】
上記再生制御手段は、上記広告データ及び上記広告データの再生方法の選択ポリシーを有しており、この選択ポリシーに従って選択制御を行なうことを特徴とする請求項１に記載の情報提供装置。
【請求項３】
上記選択ポリシーは、
上記第１の人体検出手段が人体を検出しない場合には上記広告データの再生動作を停止し、
上記第１の人体検出手段が人体を検出し、かつ、上記第２の人体検出手段が人体を検出しない場合には、消費電力を抑えた上記広告データ及び上記広告データの再生方法を選択するものである
ことを特徴とする請求項２に記載の情報提供装置。
【請求項４】
上記第２の人体検出手段が、撮像手段からの撮像データと人体特徴情報とを用いて人体を検出するものであることを特徴とする請求項１〜３のいずれかに記載の情報提供装置。
【請求項５】
上記第２の人体検出手段が、更に性別特徴情報及び又は年代特徴情報を用いて、人体の性別情報及び又は年代情報を検出し、
上記再生制御手段が、上記人体の性別情報及び又は年代情報に応じて、上記広告データ及び上記広告データの再生方法の選択制御を行う
ことを特徴とする請求項１〜４のいずれかに記載の情報提供装置。
【請求項６】
上記第１の人体検出手段が人体を検出しない場合には、上記第２の人体検出手段及び又は上記再生制御手段の動作を停止することを特徴とする請求項１〜５のいずれかに記載の情報提供装置。
【請求項７】
第１の人体検出手段が、第１の範囲内で人体を検出する第１の人体検出工程と、
第２の人体検出手段が、上記第１の範囲内で、上記第１の範囲よりも狭い第２の範囲内で人体を検出する第２の人体検出工程と、
再生制御手段が、上記第１の人体検出手段及び上記第２の人体検出手段からの人体検出状況に応じて、広告データ及び上記広告データの再生方法を選択制御する再生制御工程と、
出力手段が、上記再生制御手段の制御に従って広告情報を出力する出力工程と
を有することを特徴とする情報提供方法。
【発明の詳細な説明】
【技術分野】
【０００１】
本発明は、情報提供装置及び方法に関し、例えば、商品の販売促進等を目的とした商品情報等の広告情報を提供する情報提供装置に適用し得るものであり、特に商品の来客状況に応じた省電力運転を可能とする装置に適用して好適なものである。
【背景技術】
【０００２】
従来、商品の販売促進等を目的として商品情報等の広告情報を表示する店頭広告装置としては、例えばＤＶＤプレーヤに商品説明用の映像データを格納し、これを繰り返し再生する形態が実用化されている。
【０００３】
このような店頭広告装置を店舗内の任意の売り場に設置して広告情報を再生する場合、従来は人手により電源入力や再生ボタンの押下などをする必要があり負担となっている。そのため、人手によらない電源入力や再生等の処理が求められている。
【０００４】
さらに、広告情報を店舗内の売り場で再生する場合、店頭広告装置を長時間運転することとなるため、店頭広告装置動作の省電力化が求められている。
【０００５】
上記のように省電化を解決する従来技術として、例えば特許文献１及び特許文献２に記載される技術がある。
【０００６】
特許文献１の記載技術は、放送受信装置の省電化を図る技術であり、放送受信装置に人が近づいてきたことを感知した場合に、装置の構成部品をあらかじめ起動して待機する技術が記載されている。これにより、無人環境では装置の電源を供給せず、人の近接時には装置の一部に電源を供給することができるというものである。
【０００７】
特許文献２の記載技術は、ショーケースの省電化を図る技術であり、照度センサ及び人感センサにより、周囲の照度及び人体の近接を感知することで、商品を照らす照明の照度調節を行なうことで、商品アピール効果の向上及び消費電力の削減を図る技術が記載されている。
【先行技術文献】
【特許文献】
【０００８】
【特許文献１】特開２００８−５４０８５号公報
【特許文献２】特開２００６−２６６６４５号公報
【発明の概要】
【発明が解決しようとする課題】
【０００９】
しかしながら、上述した特許文献１及び２の記載技術を店頭広告装置に活用し、店頭広告装置の前に人の近接を検出した場合に店頭広告装置の動作を開始させると、人が店頭広告装置に近づくまで広告情報の提示ができないため、人を店頭広告装置に誘導できないという問題点がある。
【００１０】
また、その一方、上記の人の近接の検出範囲を広げた場合には、人が店頭広告装置を認知でき次第、広告情報の提示が可能となるが、店頭広告装置を長く動作させるため、装置動作の省電力化が図れないという問題点がある。
【００１１】
本発明は、上記のように、店舗内の広告視聴効果を維持しつつ省電力運転を実現できないという問題点を解消し、店舗内の来客状況に応じた省電力運転を可能とする情報提供装置及び方法を提供することを目的とする。
【課題を解決するための手段】
【００１２】
かかる課題を解決するために、第１の本発明の情報提供装置は、（１）第１の範囲内で人体を検出する第１の人体検出手段と、（２）第１の範囲内で、第１の範囲よりも狭い第２の範囲内で人体を検出する第２の人体検出手段と、（３）第１の人体検出手段及び第２の人体検出手段からの人体検出状況に応じて、広告データ及び上記広告データの再生方法を選択制御する再生制御手段と、（４）再生制御手段の制御に従って広告情報を出力する出力手段とを備えることを特徴とする。
【００１３】
第２の本発明の情報提供方法は、（１）第１の人体検出手段が、第１の範囲内で人体を検出する第１の人体検出工程と、（２）第２の人体検出手段が、第１の範囲内で、第１の範囲よりも狭い第２の範囲内で人体を検出する第２の人体検出工程と、（３）再生制御手段が、第１の人体検出手段及び第２の人体検出手段からの人体検出状況に応じて、広告データ及び広告データの再生方法を選択制御する再生制御工程と、（４）出力手段が、再生制御手段の制御に従って広告情報を出力する出力工程とを有することを特徴とする。
【発明の効果】
【００１４】
本発明によれば、広告視聴効果を維持しながら、省電力運転を実現することができる。
【図面の簡単な説明】
【００１５】
【図１】第１の実施形態の店頭広告装置の内部構成を示す内部構成図である。
【図２】第１の実施形態の店頭広告装置を用いた広告動作のイメージさせる説明図である。
【図３】第１の実施形態の広告データの種別及び再生方法を説明する説明図である。
【図４】第１の実施形態の店頭広告装置における処理を示すフローチャートである。
【図５】変形例実施形態の広告データの種別及び再生方法を説明する説明図である。
【発明を実施するための形態】
【００１６】
（Ａ）第１の実施形態
以下では、本発明の情報提供装置及び方法の第１の実施形態について図面を参照しながら説明する。
【００１７】
第１の実施形態では、店舗内の任意の売り場に商品情報等の広告情報を出力する店頭広告装置に本発明を適用した場合の実施形態を例示して説明する。
【００１８】
（Ａ−１）第１の実施形態の構成
図１は、第１の実施形態の店頭広告装置の内部構成を示す内部構成図である。店頭広告装置１０は、例えば、店舗内の陳列棚などに設置されて、その陳列棚の商品の商品情報等を流して広告を行なう電子ＰＯＰ（Point  Of  Purchase）広告装置に適用できる。
【００１９】
図１において、第１の実施形態の店頭広告装置１０は、再生制御部１、人感センサ２、カメラ３、人体属性検出部４、出力制御部５、広告記憶部６、表示部７、音声出力手段８を少なくとも有する。
【００２０】
人感センサ２は、所定の広告誘導領域内に入ってきた人体を感知するセンサであり、そのセンサ信号を広範囲人体検出信号として再生制御部１に与えるものである。人感センサ２としては、種々のセンサを適用することができるが、例えば熱線式人感センサを適用することができる。
【００２１】
再生制御部１は、人感センサ２から広範囲人体検出信号を受け取ると、動作を開始し、それまでの間は動作を停止する（すなわち、省電力モードになっている）。
【００２２】
また、再生制御部１は、広範囲人体検出信号を受け取ると、出力制御部５及び広告記憶部６に対して広告誘導用の広告データを再生させる再生制御信号を与え、さらにカメラ３及び人体属性検出部４を起動させるためのカメラ制御信号を与えるものである。
【００２３】
なお、人感センサ２から広範囲人体検出信号が与えられなくなると、再生制御部１は、広告情報の再生を終了させる制御信号を出力制御部５及び広告記憶部６に与え、また撮像処理の動作を終了させる制御信号をカメラ３及び人体属性検出部４に与える。
【００２４】
このように、広告誘導領域内に人が入ってくるまでの間は、カメラ３の動作や広告データの出力を行なわず、広告誘導領域内で人の存在を検出すると、カメラ３の動作や広告データの出力を開始することで省電化を図ることができる。
【００２５】
さらに、再生制御部１は、人体属性検出部４から人体属性検出信号を受け取ると、広告視聴用の広告データを再生させる再生制御信号を出力制御部５に与えるものである。
【００２６】
カメラ３は、再生制御部１からのカメラ制御信号に基づいて、撮像処理を開始又は終了する撮像手段である。カメラ３は、所定範囲である広告視聴領域に向けて撮像し、その撮像データを人体属性検出部４に与えるものである。
【００２７】
人体属性検出部４は、カメラ３が撮像した撮像データをカメラ信号として受け取り、このカメラ信号に基づいて人体属性を検出するものであり、人体属性の検出が成功すると、検出できたことを示す人体属性検出信号を再生制御部１に与えるものである。
【００２８】
出力制御部５は、再生制御部１から再生制御信号を受け取ると、広告記憶部６に記憶される広告データを読み出し、その広告データに基づいて視聴信号にして表示部７や音声出力部８に与えるものである。
【００２９】
広告記憶部６は、広告誘導用の広告データや広告視聴用の広告データ等を記憶する装置であり、例えば、ＤＶＤなどの記録媒体や、ＵＳＢメモリやＳＤメモリカード等のフラッシュメモリ等としてもよい。ここで、広告データは、例えば、音声データ、動画データ、静止画像データ、テキストデータを適用でき、デジタル化されたデータであれば、例えば、ＭＰ３、ＷＭＡ、ＭＰＥＧ、ＪＰＥＧ、ＴＸＴなど種々の形式を適用することができる。
【００３０】
表示部７は、出力制御部５から視聴信号を受け取り、映像を表示する表示手段である。例えば、表示部７としては、液晶表示部、プラズマ表示部等のディスプレイや、半透明スクリーン等に映写する映写装置などを適用できる。
【００３１】
音声出力部８は、出力制御部５から視聴信号を受け取り、音声を出力する手段であり、例えばスピーカ等を適用できる。
【００３２】
（Ａ−２）第１の実施形態の動作
次に、第１の実施形態の店頭広告装置１０における処理の動作について図面を参照しながら説明する。
【００３３】
（Ａ−２−１）店頭広告装置１０を用いた広告動作の全体動作
図２は、第１の実施形態の店頭広告装置１０を用いた広告動作をイメージさせる説明図である。
【００３４】
図２において、広告誘導領域Ｅ１は、例えば買い物客等の人が店頭広告装置１０を発見し、広告情報の視聴を促すことが可能な領域をいう。人感センサ２は、この広告誘導領域Ｅ１に近接する人を感知する。
【００３５】
また、広告視聴領域Ｅ２は、例えば買い物客等の人が店頭広告装置１０を注目して、広告情報を視聴することが可能な領域をいう。カメラ３は、この広告視聴領域Ｅ２内を撮像対象とする。
【００３６】
また、図２では、説明便宜上、買い物客Ａが広告視聴領域Ｅ２内に存在し、買い物客Ｂが広告誘導領域内Ｅ１に存在し、買い物客Ｃは広告誘導領域Ｅ１外に存在するものとする。
【００３７】
図４は、第１の実施形態の店頭広告装置１０における処理を示すフローチャートである。
【００３８】
以下、店頭広告装置１０における処理の動作を説明する。
【００３９】
店頭広告装置１０は、初期状態において、人感センサ２のみが給電されており、他の構成要素は待機状態となっている（ステップＳ１０１）。
【００４０】
人感センサ２は、上述したように、店頭広告装置１０から所定の距離と所定の角度の範囲（広告誘導領域Ｅ１に相当する範囲）に人が近接した場合に、人が発する熱放射を感知して、人の有無情報（センサ信号）を広範囲人体検出信号として再生制御部１に出力する（ステップＳ１０２）。
【００４１】
例えば、図２において、買い物客Ｃの例のように、広告誘導領域Ｅ１の外にしか人がいない場合には、人感センサ２は人を感知できないため、店頭広告装置１０の他の構成要素は待機状態のままである。
【００４２】
しかし、買い物客Ａや買い物客Ｂの例のように、広告誘導領域Ｅ１に人が立ち入ると、人感センサ２は人を感知し、広範囲人体検出信号を再生制御部１に出力する。
【００４３】
再生制御部１は、人感センサ２から広範囲人体検出信号を受け取ると、出力制御部５及び広告記憶部６に対して広告誘導用の広告情報を再生させる再生制御信号を与える（ステップＳ１０３）。
【００４４】
出力制御部５及び広告記憶部６は、この再生制御信号を受け取ると動作を開始し、広告記憶部６は、この再生制御信号に従って広告誘導用の広告データを出力制御部５に与える（ステップＳ１０４）。
【００４５】
そして、出力制御部５は、広告記憶部６からの広告データに基づいて視聴信号を形成し、その視聴信号を表示部７及び音声出力部８に出力する（ステップＳ１０５）。
【００４６】
また、再生制御部１は、人感センサ２から広範囲人体検出信号を受け取ると、カメラ３及び人体属性検出部４に対して起動するための信号として、カメラ制御信号を出力する（ステップＳ１０６）。これにより、カメラ３は起動し、設定された領域を撮像し、その撮像データをカメラ信号として人体属性検出部４に出力する（ステップＳ１０７）。
【００４７】
次いで、人体属性検出部４は、カメラ３からのカメラ信号を受け取ると、そのカメラ信号に基づいて人や動体の有無を検出し、人や動体の有無の検出に成功すると人体属性検出信号を再生制御部１に与える（ステップＳ１０８）。
【００４８】
ここで、人体属性検出部４は、例えば、カメラ信号から所定の大きさを超える顔もしくは動体の有無を検出する方法を適用することができる。この検出方法は、種々の方法を広く適用することができる。
【００４９】
顔検出方法としては、例えば、画像を格子ブロックに分割し、ブロック毎に顔らしさの特徴量を計測し、その値の大きさによって、顔を検出する方法を適用することができる。
【００５０】
また、動体検出方法としては、例えば、画像を直前時刻の画像と比較し、その差分から動体を検出する方法を適用することができる。
【００５１】
従って、図２の買い物客Ａのように広告視聴領域Ｅ２内にいる場合、人体属性検出部４は、この買い物客Ａを検出して人体属性検出信号を出力するが、図２の買い物客Ｂのように、広告視聴領域Ｅ２内にいない場合には検出されない。
【００５２】
再生制御部１は、人体属性検出部４から人体属性検出信号を受け取ると、広告視聴用の広告情報を再生するよう再生制御信号を、出力制御部５及び広告記憶部６に与える（ステップＳ１０９）。
【００５３】
広告記憶部６は、この再生制御信号に従って広告誘導用の広告データを出力制御部５に与え（ステップＳ１１０）、出力制御部５は、広告記憶部６からの広告データに基づいて視聴信号を形成し、その視聴信号を表示部７及び音声出力部８に出力する（ステップＳ１１１）。
【００５４】
（Ａ−２−２）広告情報及び再生方法の選択制御
上述したように、再生制御部１は、出力制御部５及び広告記憶部６に対して再生制御信号を出力するが、この再生制御部１の制御の下、広告情報の再生処理の動作について図面を参照しながら説明する。
【００５５】
再生制御部１は、人感センサ２からの広範囲人体検出信号や、人体属性検出部４からの人体属性検出信号を受け取ると、再生制御信号を出力する。
【００５６】
このとき、再生制御部１は、図３に例示する広告データ種別及び再生方法の決定ポリシーに従って、広告情報の再生処理を指示する。
【００５７】
図３は、第１の実施形態における広告データの種別及び再生方法を説明する説明図である。図３では、買い物客の存在範囲に対応して、広告データの種別と再生方法の例を２つ示している。
【００５８】
図３（Ａ）は、買い物客が広告視聴領域Ｅ２に存在する場合には、「動画、静止画、音声からなる広告データ」を選択し、広告データの再生方法としては「画面ＯＮ（高輝度）」及び「スピーカＯＮ」を適用する。また、買い物客が広告視聴領域Ｅ１に存在せず、広告誘導領域Ｅ２に存在する場合には、広告データとして「音声のみの広告データ」を選択し、広告データの再生方法としては、「画像ＯＦＦ」及び「スピーカＯＮ」を適用する。
【００５９】
なお、広告誘導領域Ｅ１にも存在しない場合には、選択する広告データ及び再生方法はいずれもないこととする。
【００６０】
また、図３（Ｂ）は、図３（Ａ）とは別の決定方法である。図３（Ｂ）は、買い物客が広告視聴領域Ｅ２に存在する場合には、「動画（高画質）、静止画、音声からなる広告データ」を選択し、広告データの再生方法としては「画面ＯＮ（高輝度）」及び「スピーカＯＮ」を適用する。また、買い物客が広告視聴領域Ｅ１に存在せず、広告誘導領域Ｅ２に存在する場合には、広告データとして「動画（低画質）、静止画、音声からなる広告データ」を選択し、広告データの再生方法としては、「画像ＯＮ（低輝度）」及び「スピーカＯＮ」を適用する。
【００６１】
なお、広告誘導領域Ｅ１にも存在しない場合には、選択する広告データ及び再生方法はいずれもないこととする。
【００６２】
再生制御部１は、広告データの種別及び再生方法を識別する識別情報を含む再生制御信号を出力制御部５及び広告記憶部６に与える。
【００６３】
広告記憶部６は、再生制御信号に含まれる広告データの種別を識別する識別情報に基づいて、これに該当するコンテンツを選択して広告データとして出力する。
【００６４】
また、出力制御部５は、再生制御信号に含まれる識別情報に従った再生方法を用いて広告データを再生し、視聴信号を形成して出力する。
【００６５】
以上の動作により、図２の買い物客Ａ（広告視聴領域Ｅ２内の人）に対しては、高画質動画による広告を高輝度にて提示し、図２の買い物客Ｂ（広告誘導領域Ｅ１内の人）に対しては、音声や低画質動画による広告を低輝度にて提示し、図２の買い物客Ｃ（その他の領域）に対しては、広告を提示しないということができる。
【００６６】
（Ａ−３）第１の実施形態の効果
以上のように、第１の実施形態によれば、広告誘導領域外では、店頭広告装置を待機状態にし、広告誘導領域では、人を店頭広告装置に誘導するに足る必要最小限の消費電力にて広告情報を提示し、広告視聴領域では広告情報の視聴に十分な消費電力にて広告情報を提示するので、従来、店舗内の広告視聴効果を維持しつつ省電力運転を実現できないという問題点を解消し、店舗内の来客状況に応じた省電力運転を可能とする店頭広告装置を提供することができる。
【００６７】
（Ｂ）他の実施形態
（Ｂ−１）第１の実施形態では、人体属性検出部にて所定の大きさを超える顔もしくは動体の有無を検出し、これに基づいて、再生制御部が広告データの種別や再生方法を決定する場合について説明した。
【００６８】
別の構成として、人体属性検出部にて所定の大きさを超える顔を検出し、さらに、その性別や年代の特徴を抽出して、これに基づいて、再生制御部が広告データの種別や再生方法を決定してもよい。
【００６９】
例えば、人体属性検出部は、女性を識別する女性特徴情報を保持する。この女性特徴情報としては、例えば、髪の毛の長さや化粧をしているか否か等の情報を適用できる。そして、所定の大きさを超える顔情報を検出すると、上記女性特徴情報を用いて、当該顔情報が女性であるか否かを判断する。このとき、複数の顔情報を検出できた場合、全ての顔情報についても女性であるか否かの判断を行なう。
【００７０】
そして、人体属性検出部４は、各顔情報を検出した旨及び各顔が女性であるか否かの情報を再生制御部１に与える。
【００７１】
再生制御部１は、例えば図５に示すポリシーを有する。図５に例示するポリシーは、図３に例示するポリシーと異なる点は、「客層」の項目を有する点である。
【００７２】
再生制御部１は、人体属性検出部４から、人体属性検出信号を受け取り、所定の大きさを超えた顔情報を検出することができ、かつ、すべて女性のみであることを検出すると、「動画（高画質）、静止画、音声からなる広告データ」を選択し、広告データの再生方法としては「画面ＯＮ（高輝度）」及び「スピーカＯＮ」を適用する。
【００７３】
一方、所定の大きさを超えた顔情報を検出することができたが、すべて女性のみでない場合、「動画（低画質）、静止画、音声からなる広告データ」を選択し、広告データの再生方法としては「画面ＯＮ（低輝度）」及び「スピーカＯＮ」を適用する。
【００７４】
なお、図５に示すポリシーは例示であり、これに限定されるものではない。例えば、女性のみでない場合には、広告誘導領域の場合と同様に音声のみの広告データを流すようにしても良い。
【００７５】
このようにすることで、例えば、店舗の化粧品売り場に設置される店頭広告装置が女性客のみに詳細な広告情報を提供し、その他の買い物客に対しては必要最小限の消費電力にて広告情報を提示するように構成できるので、第１の実施形態と同様の効果が得られる。
【００７６】
また、人体属性検出部は、人の年代を識別する年代識別情報を保持して、上記ようにして、検出した人の年代を示す年代情報を再生制御部に与えるようにしても良い。
【００７７】
勿論、性別と年代のいずれかの情報を使用して広告情報及び再生方式の選択をするようにしても良いし、性別と年代の両方を用いて広告情報及び再生方式の選択をするようにしてもよい。
【００７８】
（Ｂ−２）再生制御部は、顔の大きさの違いにより広告データの種別及び広告データの再生方法を指示するようにしてもよい。
【００７９】
例えば、人体属性検出部が、顔の大きさについて複数の閾値を設けて、検出した顔の大きさを示す情報を人体属性検出信号として再生制御部に与える。再生制御部は、この顔の大きさ情報に基づいて、大きなサイズの顔を検出できた場合には、「動画（低画質）、静止画、音声からなる広告データ」を選択し、広告データの再生方法としては「画面ＯＮ（低輝度）」及び「スピーカＯＮ」を適用し、そうでない場合には、「動画（低画質）、静止画、音声からなる広告データ」を選択し、広告データの再生方法としては「画面ＯＮ（低輝度）」及び「スピーカＯＮ」を適用するようにしてもよい。
【００８０】
これにより、広告視聴領域内に人が存在する場合でも、例えば、商品棚に近い客には、より詳細な広告情報を提供し、そうでない客には、必要最小限の消費電力にて広告情報を提示するように構成できるので、第１の実施形態と同様の効果が得られる。
【００８１】
（Ｂ−３）広告視聴領域を移動する客の移動速度が所定の速度を超える場合には、広告視聴領域用の広告データを流さないようすることができる。
【００８２】
例えば、人体属性検出部が、カメラ信号に基づいて人を検出した場合、その人の移動速度も検出する。この人の移動速度の求め方としては、例えば検出した人体情報の動きベクトルを求め、単位時間の動きベクトル大きさの変化を求める方法を適用できる。そして、所定速度を超える場合、人体属性検出部は、この検出した人体についての人体属性検出信号の出力を行なわない。
【００８３】
これにより、移動の速い客についての人体属性検出信号の出力を行なわないようにすることができる。
【００８４】
（Ｂ−４）第１の実施形態では、例えば店舗内での店頭広告装置に適用した場合を例示したが、これ以外にも広く適用できる。例えば、自動販売機が有する広告画面などに適用してもよい。
【符号の説明】
【００８５】
１…再生制御部、２…人感センサ、３…カメラ、４…人体属性検出部、５…出力制御部、６…広告記憶部、７…表示部、８…音声出力部、１０…店頭広告装置。
【図１】
2010191155.tif 000003
【図２】
2010191155.tif 000004
【図３】
2010191155.tif 000005
【図４】
2010191155.tif 000006
【図５】
2010191155.tif 000007